(57)【特許請求の範囲】
【請求項１】
地表に立設された支柱間に面材を架設している塀において、
該面材が、外周縁を構成する４つの枠と、該４つの枠に支持された板部材とを備え、該４つの枠が、該板部材の４辺のそれぞれに入り込んで挟持する溝部を備えた上枠、下枠、左右の縦枠から構成され、
前記各縦枠が、前記溝部を備えた縦枠本体と、この縦枠本体の横側方に位置して前記支柱に連結される連結部材とを備え、該連結部材が、前記縦枠本体の上下寸法よりも長い上下寸法を有し、該連結部材を該縦枠本体に上下方向にのみ移動自在に連結するための上下案内手段を備え、更には、前記上枠及び下枠に備えたビス孔に螺合して前記連結部材を該上枠及び下枠に固定するビスが挿入可能な貫通孔を該連結部材の上下端にそれぞれ備えたことを特徴とする塀。
【請求項２】
前記連結部材が、前記縦枠本体の横側面に接触する平板部と、この平板部の前後方向両端部のうちの少なくとも一端から横側方に延びるとともに前記支柱に連結するための連結部を構成する連結板部とからなる平面視Ｌ字状又はコの字状に構成されている請求項１記載の塀。
【請求項３】
前記上下案内手段が、前記縦枠本体の横側面から突出し、かつ、該縦枠本体の上下方向に沿って備えられた左右一対の突条と、該左右一対の突条に係合するべく前記連結部材に備えさせた左右一対の係合溝とから構成されていることを特徴とする請求項１又は２記載の塀。
【請求項４】
前記板部材が左右方向に長い横長状であり、前記左右の縦枠が上下方向に平行に配置されたものであり、該板部材の左右方向中央部に該縦枠と平行となる中枠を前記上下枠間に渡るように備えさせている請求項１〜３のいずれかに記載の塀。
【請求項５】
前記上下枠それぞれの外形がほぼ矩形状で前後方向中央部に上下方向に凹む前記溝部を形成し、該上下枠内のうちの該溝部を挟んで前後方向両側のそれぞれに、前記ビス孔を備えさせたことを特徴とする請求項１〜４のいずれかに記載の塀。
【発明の詳細な説明】
【技術分野】
【０００１】
本発明は、例えば住宅やマンション等の敷地境界部や、鉄道や道路等と住宅地等との境界部に沿って立設される塀に関し、詳しくは、地表に立設された支柱間に面材を架設してなる塀に関する。
【背景技術】
【０００２】
上記塀としては、例えば木製のパネル体の外周縁を構成する上下の木製横枠と左右の木製縦枠とを、金属製の上下の金属横枠と左右の金属縦枠で囲み、囲んだ４つの金属枠を４つの木製枠にそれぞれねじ具を用いて固定することにより、補強された塀パネルを構成し、その塀パネルを支柱間に架設したものが提案されている（例えば、特許文献１参照）。
【特許文献１】実開平５−３０３６９号公報（図１〜図４参照）
【発明の開示】
【発明が解決しようとする課題】
【０００３】
上記特許文献１の構成では、４つの木製枠を４つの金属枠で囲っただけの不安定状態でそれぞれねじ具を用いて両者を固定することになることから、各木製枠に対して各金属枠が位置ずれしないように手で押さえつけながら、ねじ具をねじ込まなければならず、各木製枠に対して各金属枠を固定する作業がやり難く、組み付け作業を迅速に行うことができない不都合があった。
【０００４】
本発明が前述の状況に鑑み、解決しようとするところは、組付け作業を容易迅速に行うことができる塀を提供するものである。
【課題を解決するための手段】
【０００５】
本発明の塀は、前述の課題解決のために、地表に立設された支柱間に面材を架設している塀において、該面材が、外周縁を構成する４つの枠と、該４つの枠に支持された板部材とを備え、該４つの枠が、該板部材の４辺のそれぞれに入り込んで挟持する溝部を備えた上枠、下枠、左右の縦枠から構成され、前記各縦枠が、前記溝部を備えた縦枠本体と、この縦枠本体の横側方に位置して前記支柱に連結される連結部材とを備え、該連結部材が、前記縦枠本体の上下寸法よりも長い上下寸法を有し、該連結部材を該縦枠本体に上下方向にのみ移動自在に連結するための上下案内手段を備え、更には、前記上枠及び下枠に備えたビス孔に螺合して前記連結部材を該上枠及び下枠に固定するビスが挿入可能な貫通孔を該連結部材の上下端にそれぞれ備えたことを特徴としている。
従って、４つの枠それぞれの溝部に板部材の４辺を入り込ませて挟持させることによって、各枠を板部材に挟持力により仮止めすることができる。そして、この仮止めされた状態において連結部材を縦枠本体に対して上下に移動させることによって、連結部材の上下端のそれぞれに備えている貫通孔を上下枠それぞれに備えているビス孔に合わせてから、ビス孔に貫通孔を介してビスを挿入して螺合させることによって、連結部材と上下枠とを連結固定することができる。そして、この連結固定によって、上下枠間に位置する縦枠が上下枠によって固定されるのである。
また、縦枠を縦枠本体と連結部材の２つの部材から構成することによって、例えば傾斜地に塀を設置する場合に、左右の縦枠の上下端及び上下枠の左右端をそれぞれ斜めに切断（カット）するだけで、傾斜地の表面に合わせて塀を構成することができる。
【０００６】
前記連結部材が、前記縦枠本体の横側面に接触する平板部と、この平板部の前後方向両端部のうちの少なくとも一端から横側方に延びるとともに前記支柱に連結するための連結部を構成する連結板部とからなる平面視Ｌ字状又はコの字状に構成されていてもよい。
【０００７】
前記上下案内手段が、前記縦枠本体の横側面から突出し、かつ、該縦枠本体の上下方向に沿って備えられた左右一対の突条と、該左右一対の突条に係合するべく前記連結部材に備えさせた左右一対の係合溝とから構成されていてもよい。
【０００８】
前記板部材が左右方向に長い横長状であり、前記左右の縦枠が上下方向に平行に配置されたものであり、該板部材の左右方向中央部に該縦枠と平行となる中枠を前記上下枠間に渡るように備えさせてもよい。
【０００９】
前記上下枠それぞれの外形がほぼ矩形状で前後方向中央部に上下方向に凹む前記溝部を形成し、該上下枠内のうちの該溝部を挟んで前後方向両側のそれぞれに、前記ビス孔を備えていてもよい。
【発明の効果】
【００１０】
４つの枠を板部材に挟持力により仮止めするとともに縦枠本体に対して連結部材を上下移動させて上下枠のビス孔に連結部材の貫通孔を合わせるだけで連結部材と上下枠とを固定することができ、従来のように４つの木製の枠に対して４つの金属製の枠を一々位置ずれしないように持っておくことが不要になり、その分、組付け作業を容易迅速に行うことができる塀を提供することができる。
また、縦枠を縦枠本体と連結部材の２つの部材から構成することによって、例えば傾斜地に塀を設置する場合に、左右の縦枠の上下端及び上下枠の左右端をそれぞれ斜めに切断するだけで、傾斜地の表面に合わせて塀を構成することができ、部品数の共有化によるコストの低減化を図ることができる。
【００１１】
前記上下案内手段を、前記縦枠本体の横側面から突出し、かつ、該縦枠本体の上下方向に沿って備えられた左右一対の突条と、該左右一対の突条に係合するべく前記連結部材に備えさせた左右一対の係合溝とから構成することによって、例えば案内レールを縦枠本体に取り付け、その案内レールに案内されるスライダーを連結部材に備えさせる構成に比べて、部品点数の増大化を抑制することができる。
【００１２】
前記板部材が左右方向に長い横長状であり、前記左右の縦枠が上下方向に平行に配置されたものであり、該板部材の左右方向中央部に該縦枠と平行となる中枠を前記上下枠間に渡るように備えさせることによって、板部材自体の強度アップを図ることができ、板部材にヒビが入ったり割れたりすることを回避することができる。
特に、板部材がポリカーボネートのような可撓性を有する材料から構成されている場合に、例えば左右に長い板部材を左右両端で固定していると、風荷重によって板部材がその面を突き抜ける板厚方向に撓むことがあり、この場合、板部材が枠から抜け出す恐れがある。このため、上記のような中枠を備えさせることによって、板部材が風荷重により板厚方向に撓んで枠から抜け出すことを防止することができる効果がある。
【発明を実施するための最良の形態】
【００１３】
図１（ａ），（ｂ）に、住宅やマンション等の敷地境界部や、鉄道や道路等と住宅地等との境界部に沿って立設される塀Ｈの一部を示している。
前記塀Ｈは、地表に所定間隔を置いて立設された支柱１，１間に２つの面材２，２を上下２段にそれぞれ架設して構成されている。前記各支柱１は、地中Ｓに埋められる箇所にコンクリートを打設してコンクリートブロック３を形成することによって垂直姿勢を安定よく維持することができるようにしている。
【００１４】
前記支柱１は、金属製で断面が正方形に形成され、上下端が開口された角筒状体からなり、上端の開口をキャップ４にて覆っている。
【００１５】
前記面材２が、外周縁を構成する４つの金属製でなる枠５，６，７，８と、該４つの枠５，６，７，８に支持された横長状（長方形）でポリカーボネートからなる板部材９とを備え、該４つの枠５，６，７，８が、該板部材９の４辺のそれぞれに入り込んで挟持するための溝部５Ｍ、６Ｍ、７Ｍ、８Ｍ（図２（ａ），（ｂ）及び図４参照）をそれぞれ備えた上枠５、下枠６、左右の縦枠７、８から構成されている。なお、前記溝部５Ｍ、６Ｍ、７Ｍ、８Ｍのそれぞれには、パッキンＰが備えられており、板部材９と溝部５Ｍ、６Ｍ、７Ｍ、８Ｍとの気密性を高めるとともに、板部材９に対して係止して仮止めした枠５、６、７、８が容易に外れることがないようにしている。
そして、図３（ａ）にも示すように、前記上下枠５，６それぞれの左側端の間に、前記左側の縦枠７を構成する縦枠本体７Ａの上下端が当接し、上下枠５，６それぞれの右側端の間に、前記右側の縦枠８を構成する縦枠本体８Ａの上下端が当接した状態で左右の縦枠本体７Ａ，８Ａを位置させている。従って、後述する連結部材７Ｂ又は８Ｂを上下枠５，６に固定することによって、上下枠５，６間で縦枠本体７Ａ，８Ａを固定することができるようになっている。
【００１６】
前記上下枠５，６のそれぞれは、両端が開口され、かつ、外形がほぼ矩形状となる角筒状体からなっている。
また、図２（ａ），（ｂ），（ｃ）及び図３（ａ），（ｂ），（ｃ）に示すように、前記各縦枠７又は８が、両端が開口され、かつ、外形がほぼ五角形となる角筒状体からなり、前記溝部７Ｍ又は８Ｍを備えた金属製の縦枠本体７Ａ又は８Ａと、この縦枠本体７Ａ又は８Ａの横側方に位置して前記支柱１に連結される金属製の連結部材７Ｂ又は８Ｂとから構成されている。
【００１７】
図２（ａ），（ｂ），（ｃ）及び図４に示すように、前記連結部材７Ｂ又は８Ｂが、前記縦枠本体７Ａ又は８Ａの上下寸法よりも長い上下寸法を有しており、連結部材７Ｂ又は８Ｂの上下端に上枠５及び下枠６に備えた左右一対のビス孔５Ｂ，５Ｂ又は６Ｂ，６Ｂに上下方向及び左右方向での位置が合致するように貫通孔７Ｋ，７Ｋ又は８Ｋ，８Ｋを備えている。
また、前記連結部材７Ｂ又は８Ｂは、上下案内手段Ｇを介して縦枠本体７Ａ又は８Ａに上下方向にのみ移動自在に取り付けられている。
従って、連結部材７Ｂ又は８Ｂを縦枠本体７Ａ又は８Ａに対して上下方向に移動させることによって、上枠５及び下枠６に備えた左右一対のビス孔５Ｂ，５Ｂ又は６Ｂ，６Ｂに連結部材７Ｂ又は８Ｂの貫通孔７Ｋ，７Ｋ又は８Ｋ，８Ｋを一致させてから、ビスＢ，Ｂを貫通孔７Ｋ，７Ｋ又は８Ｋ，８Ｋを通してビス孔５Ｂ，５Ｂ又は６Ｂ，６Ｂにねじ込むことにより、連結部材７Ｂ又は８Ｂと上下枠５，６とを連結固定することで４つの枠５，６，７，８を固定することができるようになっている。
【００１８】
図２（ｂ），（ｃ）にも示すように、前記連結部材７Ｂ又は８Ｂは、前記縦枠本体７Ａ又は８Ａの横側面７ａ又は８ａに接触する平板部７Ｃ又は８Ｃと、この平板部７Ｃ又は８Ｃの前後方向両端部のうちの一端から横側方に延びるとともに前記支柱１に連結するための連結部を構成する連結板部７Ｄ又は８Ｄとからなる平面視Ｌ字状に構成されている。
【００１９】
図３（ａ）に示すように、前記連結板部７Ｄ又は８Ｄの上下２箇所のそれぞれに、横長の貫通孔７Ｅ又は８Ｅが形成され、この貫通孔７Ｅ又は８Ｅは、図２（ａ），（ｂ）に示すように、支柱１の横側面にボルト１０とナット１１を介して固定されている支持金具１２又は１２に、連結板部７Ｄ又は８Ｄをボルト１３とナット１４を介して固定するための貫通孔である。貫通孔７Ｅ又は８Ｅが横長になっていることから、支柱１，１間の距離に多少の誤差が発生した場合でも、この誤差を吸収しながら面材２を支柱１，１間に組付けることができるようにしている。
前記支持金具１２は、連結板部７Ｄ又は８Ｄの裏面側に形成される空間を覆うことができるように支柱１の横側面から面材２側に向かって延びる閉塞部１２Ａを備えている。また、支持金具１２の表側面を覆うためのＬ字状の化粧用板カバー１５を前記ボルト１３とナット１４を介して固定して、面材２を表側及び裏側のいずれから見た場合でも、意匠感を高めることができるようになっている。
【００２０】
図２（ｂ），（ｃ）にも示すように、前記上下案内手段Ｇが、前記縦枠本体７Ａ又は８Ａの横側面に横側方に逆台形状に突出し、かつ、該縦枠本体７Ａ又は８Ａの上下方向に沿って備えられた左右一対の突条７Ｔ，７Ｔ又は８Ｔ，８Ｔと、該左右一対の突条７Ｔ，７Ｔ又は８Ｔ，８Ｔに係合して前記連結部材７Ｂ又は８Ｂを上下方向でのみ移動自在に構成するべく該連結部材７Ｂ又は８Ｂに備えさせた台形状の係合溝７Ｎ，７Ｎ又は８Ｎ，８Ｎとから構成されている。
【００２１】
前記上下枠５，６のそれぞれは、アルミニウムを押出成型によって製作され、それぞれの外形がほぼ矩形状で前後方向中央部に上下方向に凹む前記溝部５Ｍ，６Ｍを形成し、該形成された溝部５Ｍ，６Ｍを挟んで前後方向両側に形成される空間内にそれぞれ、左右方向に沿う前記ビス孔５Ｂ，５Ｂ、６Ｂ，６Ｂを備えている。
【００２２】
前記面材２を作成する場合には、まず、縦枠本体７Ａ，８Ａそれぞれの左右一対の突条７Ｔ，７Ｔに対して連結部材７Ｂ，８Ｂの係合溝７Ｎ，７Ｎ又は８Ｎ，８Ｎを上下方向から係止させて両者を一体化しておく。
次に、板部材９の４辺のそれぞれに上枠５、下枠６、縦枠７，８の溝部５Ｍ，６Ｍ，７Ｍ，８Ｍを順次入り込ませることによって、板部材９の外周縁に上枠５、下枠６、縦枠７，８を仮止めする。この状態において一方の縦枠７の連結部材７Ｂを上下方向に移動させることによって、図４で示す上下のビス孔５Ｂ，６Ｂに該連結部材７Ｂに形成した上下の貫通孔７Ｋ，７Ｋ（図２（ａ），（ｂ）では下側の貫通孔のみ図示している）を合わせてからビスＢを貫通孔７Ｋを通してビス孔５Ｂ又は６Ｂにねじ込むことによって、左側の縦枠７の連結部材７Ｂと上枠５の左端と下枠６の左端とを連結し、続いて他方の縦枠８の連結部材８Ｂを上下方向に移動させることによって、上下のビス孔５Ｂ，６Ｂに該連結部材８Ｂに形成した上下の貫通孔８Ｋ，８Ｋ（図２（ａ），（ｂ）では下側の貫通孔のみ図示している）を合わせてからビスＢを貫通孔８Ｋを通してビス孔５Ｂ又は６Ｂにねじ込むことによって、右側の縦枠８の連結部材７Ｂと上枠５の右端と下枠６の右端とを連結することによって、面材２を完成することができるようになっている。尚、板部材９の４辺のそれぞれに上枠５、下枠６、縦枠７，８の溝部５Ｍ，６Ｍ，７Ｍ，８Ｍを順次入り込ませることによって、板部材９の外周縁に上枠５、下枠６、縦枠７，８を仮止めした後に、縦枠本体７Ａ，８Ａそれぞれの左右一対の突条７Ｔ，７Ｔに対して連結部材７Ｂ，８Ｂの係合溝７Ｎ，７Ｎ又は８Ｎ，８Ｎを上下方向から係止させてもよい。
【００２３】
このように完成した面材２を支柱１，１間に、前述した支持金具１２と化粧用板カバー１５とを、ボルト１３とナット１４により固定して塀を構成することができるようになっている。このとき、連結部材７Ｂ，８ＢがＬ字状であるため、支柱１，１間に前方から面材２を移動させて左右の支持金具１２，１２に連結部材７Ｂ，８Ｂをそれぞれ合わせることができるようになっている。
【００２４】
図５（ａ），（ｂ），（ｃ）に示すように、前記長方形の板部材９の長手方向中央部に長手方向と直交する上下の枠５，６間に渡る左右枠７，８と平行に配置された金属製の中枠１６を備えさせることによって、板部材９自体の強度アップを図るようにしてもよい。図では中枠１６を１本のみ備えたものを示したが、２本以上備えるようにしてもよい。また、板部材９の長手方向に沿う中枠を備えさせてもよい。
【００２５】
図６（ａ），（ｂ）に示すように、前記中枠１６は、内部中空で断面形状が台形に形成され、かつ、長手方向両端が開放された筒状体に構成されている。
また、前記板部材９の裏面側には、前記中枠１６とほぼ同一幅でかつほぼ同一長さを有する平板１７を当てつけ、中枠１６の上下方向２箇所にそれぞれ備えたナット１９に平板１７側からボルト１８を板部材９に形成の貫通孔（図示せず）を通して螺合させることにより、中枠１６を板部材９に固定することができるようになっている。また、前記中枠１６の上下端には、ビス孔１６Ａ，１６Ａ（図６（ｂ）では下方のみ示している）を備えており、上下枠５，６を構成する上下の水平板部をそれぞれ上下に貫通する貫通孔（図示せず）を通してボルト２０，２０をビス孔１６Ａ，１６Ａにねじ込むことによって、中枠１６を上下枠５，６にも連結して面材２の強度を更に高めるようにしている。図６（ａ）では、中枠１６の上端面が上枠５の下面に当接し、中枠１６の下端面が下枠６の上面に当接しているが、場合によっては中枠１６の上下端面と上下枠５，６との間に少し隙間を空けて中枠１６を備えさせる構成であってもよい。図６（ｂ）では、中枠１６側に備えたナット１９に対して平板１７側から貫通させたボルト１８を螺合させることにより中枠１６と平板１７とを固定したが、例えばボルト１８の頭部を中枠１６側に備えさせ、平板１７から突出するボルト１８の軸部にナット１９を螺合させることにより、中枠１６と平板１７とを固定する構成であってもよい。尚、この場合、ボルト１８の頭部の外形を六角状に形成しておくと、中枠１６に回転不能に固定することができる。
【００２６】
前記縦枠７，８を、縦枠本体７Ａ，８Ａと連結部材７Ｂ，８Ｂの２つの部材から構成することによって、一部の枠を少し加工するだけで、図７及び図８に示すように、例えば傾斜角度がαの右上がり傾斜面に平行となるように塀Ｈを設置するができるようになっている。
具体的には、上枠５及び下枠６の左右両端５Ｌ，５Ｒ及び６Ｌ，６Ｒを下端側ほど左側に位置するように斜めにカットし、縦枠本体７Ａ，８Ａの上下端７Ｕ，７Ｖ及び８Ｕ，８Ｖを左側ほど下方に位置するように斜めにカットしている。
このようにカットした４つの枠５，６，７，８を前述のように平行四辺形状に構成された板材９に組付けることによって、図７に示す面材２を構成し、このように構成された面材２の４枚を、図８に示すように３本の支柱１，１，１間に前記のように架設することによって、傾斜面に沿った塀Ｈを容易に構成することができるようにしている。尚、この場合も、平行四辺形状の面材２の長手方向（左右方向）中央部に前記中枠１６を備えさせてもよい。前記中枠１６の上下端のそれぞれを前記同様に斜めにカットすることが好ましい。尚、前記左右枠７，８は、上下方向に平行に配置されている。尚、上下枠５，６が斜めにほぼ平行に配置されている場合を示しているが、必ずしも平行でなくてもよい。
【００２７】
前記板部材９をポリカーボネートから構成したが、硬質ガラスや硬質プラスチックあるいは木製又は金属製の板の他、各種の材料から構成された多数の層を積層した複合板などであってもよい。また、支柱１，１間に２枚の面材２，２を上下に連結したが、１枚の面材を支柱１，１間に連結した場合でもよいし、３枚以上を上下に連結して実施することもできる。
また、前記面材２に防音機能を付加して実施することもできる。例えば、前記複合板の複数枚を前後方向に間隔をあけて設けた形態としてもよい。更に、前記複合板の間の隙間にグラスウールや不織布等からなる吸音材を配置して防音性を更に高めてもよい。なお、吸音材を用いる場合には、騒音の発生する側に配置された複合板に多数のスリットや透孔を設けることによって、複合板のスリットや透孔を通過した騒音を吸音材で効果的に吸収することができるのでより好ましい。
【００２８】
前記連結部材７Ｂ，８Ｂを平面視ほぼＬ字状のものを用いたが、平面視ほぼコの字状のものであってもよい。また、連結部材７Ｂ，８Ｂの一部を覆うために設けた化粧用板カバー１５は省略してもよい。
【００２９】
また、前記面材２を左右方向に長い横長状に構成した場合を示したが、上下方向に長い縦長状に構成した面材２であってもよい。面材２を縦長状に構成する場合には、面材２の上下方向中央部に左右枠間に渡る上下枠と平行な中枠の他、面材２の左右方向中央部に上下枠間に渡る左右枠と平行な中枠を備えさせて、補強してもよい。尚、前記横長状に構成した面材２とは、図１〜図６で示した長方形の他、図７及び図８で示した平行四辺形なども含むものとする。又、前記縦長状に構成した面材２は、図示していないが、横長状に構成した面材２と同様に、長方形の他、平行四辺形なども含むものとする。
【図面の簡単な説明】
【００３０】
【図１】一部省略した塀を示し、（ａ）はそれの正面図、（ｂ）はそれの平面図である。
【図２】支柱に連結部材を連結した状態を示し、（ａ）は図１（ａ）におけるＶ−Ｖ線断面図、（ｂ）は図１（ａ）のＷ−Ｗ線断面図、（ｃ）は連結前の面材の右端を示す横断平面図である。
【図３】面材を示し、（ａ）はそれの正面図、（ｂ）はそれの左側面図、（ｃ）はそれの底面図である。
【図４】支柱に連結された面材の縦断側面図である。
【図５】中枠を取り付けた他の面材を示し、（ａ）はそれの正面図、（ｂ）はそれの左側面図、（ｃ）はそれの底面図である。
【図６】（ａ）は図５（ａ）におけるＸ−Ｘ線断面図、（ｂ）は図５（ａ）におけるＹ−Ｙ線断面図である。
【図７】左端が下方に位置する傾斜姿勢の面材を示す正面図である。
【図８】図７で示した傾斜姿勢の面材を支柱間に架設して構成した塀の正面図である。
【符号の説明】
【００３１】
１…支柱、２…面材、３…コンクリートブロック、４…キャップ、５…上枠、６…下枠、７，８…縦枠、５Ｂ，５Ｂ…ビス孔、５Ｍ，６Ｍ，７Ｍ，８Ｍ…溝部、７Ａ，８Ａ… 縦枠本体、７Ｂ，８Ｂ…連結部材、７Ｃ…平板部、７Ｄ…連結板部、７Ｅ…貫通孔、７Ｋ…貫通孔、７Ｎ，７Ｎ…係合溝、７Ｔ，７Ｔ…突条、９…板部材、１０…ボルト、１１…ナット、１２…支持金具、１２Ａ…閉塞部、１３…ボルト、１４…ナット、１５…化粧用板カバー、１６…中枠、１７…平板、１８…ボルト、１９…ナット、Ｂ…ビス、Ｇ…上下案内手段、Ｈ…塀、Ｓ…地中
【図１】
0005065931.tif 000002
【図２】
0005065931.tif 000003
【図３】
0005065931.tif 000004
【図４】
0005065931.tif 000005
【図５】
0005065931.tif 000006
【図６】
0005065931.tif 000007
【図７】
0005065931.tif 000008
【図８】
0005065931.tif 000009